(57)【要約】【課題】ユーザが自分のジェスチャの結果を表示画面で直接確認することができるとともに、操作のためのジェスチャを気楽な姿勢で行なうことができて、操作の負担を軽減できるようにする。【解決手段】スクリーン３は筐体１に手前側が低くなるように突出して設けられ、このスクリーン３にジャンル画像１８の列の第１階層のメニュー１９や商品画像１１の列の第２階層のメニュー１２，売り場の地図を表わす地図画像２０が表示されており、ユーザがその手先をこのスクリーン３に近づけることにより、この手先のスクリーン３に対する空間的な位置や向きに応じた位置に二重リングポインタ２３が表示される。このスクリーン３では、ユーザが手先の位置や向きを変えるジェスチャを行なうことにより、この二重リングポインタ２３の位置を変化させることができる。【選択図】図５
2012215963.tif 000002
【特許請求の範囲】
【請求項１】
筐体に表示部が設けられ、該表示部の表示画面に商品の紹介画面が表示される映像表示装置であって、
該表示画面は、手前側に突出し、かつ傾斜して設けられていることを特徴とする映像表示装置。
【請求項２】
請求項１において、
前記表示画面は、プロジェクタによって該紹介画面が投射されるスクリーンであり、かつ該スクリーンに向けられるユーザの手先の向きや位置を検出するセンサが設けられていることを特徴とする映像表示装置。
【請求項３】
請求項２において、
前記紹介画面は、商品のジャンル毎のジャンル画面が配列されて表示される第１階層のメニューと、該第１階層のメニューでの各ジャンル毎の商品を表わすサムネイルの商品画像が配列されて表示される第２階層のメニューと、該第２階層のメニューでの該商品画像の商品を販売する売り場を案内するための地図画像が表示され、
該センサによるユーザの手先の該スクリーンに対する検出位置に応じて該第１，第２階層のメニューの表示領域や該地図画像の表示領域のいずれかにポインタを表示し、該第１階層のメニューでの該ジャンル画像、該第２階層のメニューでの該商品画像、該地図画像での売り場のいずれかを該ポインタで指摘することができるように構成した
ことを特徴とする映像表示装置。
【請求項４】
請求項３において、
前記センサによる前記ユーザの手先の検出位置が予め設定された第１の距離範囲にあるとき、前記ポインタは前記第１階層のメニュー上にあり、
前記センサによる前記ユーザの手先の検出位置が予め設定された第２の距離範囲にあるとき、前記第１階層のメニューが消去され、前記第２階層のメニューが拡大表示されて前記ポインタが前記第２階層のメニュー上にあり、
前記センサによる前記ユーザの手先の検出位置が予め設定された第３の距離範囲にあるとき、前記ポインタは前記地図画像上にある
ことを特徴とする映像表示装置。
【請求項５】
請求項４において、
前記第１，第２階層のメニューと前記地図画像とか表示される前記紹介画面では、前記第２階層のメニューでの前記商品画像は夫々、属する商品のジャンルの前記ジャンル画面に対向して表示され、
前記センサによる前記ユーザの手先の検出位置が前記第１の距離範囲から前記第２の距離範囲に移るとき、前記ポインタの位置は固定であって、該検出位置が前記第１の距離範囲内にあるときに表示されていた前記第１階層のメニューの前記ジャンル画像に該当する前記第２階層のメニューの前記商品画像上に前記位置固定された前記ポインタがあるように、前記第２階層のメニューが表示される
ことを特徴とする映像表示装置。
【請求項６】
請求項５において、
前記センサによる前記ユーザの手先の検出位置が前記第２の距離範囲内にあって表示される前記第２階層のメニューで前記ポインタが指摘する前記商品画像と、当該商品画像の商品を販売する前記地図画像での前記売り場とが、結び線で結ばれて表示されることを特徴とする映像表示装置。
【請求項７】
請求項３〜６のいずれか１つにおいて、
前記第１階層のメニューでの前記ジャンル画像の配列の端部に前記ポインタを位置付けることにより、前記第１階層のメニューがスクロールすることを特徴とする映像表示装置。
【請求項８】
請求項３〜７のいずれか１つにおいて、
前記第２階層のメニューでの前記商品画像の配列の端部に前記ポインタを位置付けることにより、前記第２階層のメニューがスクロールすることを特徴とする映像表示装置。
【発明の詳細な説明】
【技術分野】
【０００１】
本発明は、映像表示装置に係り、特に、各種商品の画像を表示し、これら商品の販売店（売り場）を案内することができるようにした映像表示装置に関する。
【背景技術】
【０００２】
デパートや大型店舗，ショッピングモール，レストラン街などの多くの売り場からなる施設では、料理やその素材，衣料，装飾品などの各種の商品が販売されており、かかる商品の種類やその販売場所（売り場）などを顧客に知らせるための案内板などが大型店舗の入口や各階の所定の場所に設置されている。これにより、顧客は興味がある商品や買いたい商品が売られているか、また、どの階で売られているかを知ることができる。
【０００３】
このような広告案内板を顧客が操作可能にして、顧客がこれを操作することにより、所望とする案内情報をこの顧客に提供するようなシステムも提案されているが、その操作方法としては、タッチパネルを設けて広告案内板を直接タッチして操作を行なうようにするものも提案されているが、直接操作部を操作するのではなく、手や指先の動き（即ち、ジェスチャ）から操作の種類を判定し、その判定された操作に応じた処理が行なわれるようにした技術も提案されている（例えば、特許文献１参照）。
【先行技術文献】
【特許文献】
【０００４】
【特許文献１】特許第４３１８０５６号公報
【発明の概要】
【発明が解決しようとする課題】
【０００５】
ところで、上記特許文献１の技術は、操作面を仮想し、ユーザがその手先や指先などがこの仮想的な操作面から突出して操作に応じた動作をすると、その動作から操作の種類を判定し、その判定された動作をモニタに表示してユーザに確認させるとともに、その判定した操作に応じた処理を行なわせるものであることから、ユーザとしては、このモニタの画像を見て自分の意図する処理を実現するジェスチャを行なっているか否かを確認する必要があり、確認しながら自分のジェスチャの修正を行なわなければならないといった負担がかかることになる。
【０００６】
また、上記特許文献１に記載の技術では、上記の仮想的な操作面は垂直な面をなすものであって、手を持ち上げる姿勢が必要となり、姿勢に負担がかかるという問題もある。
【０００７】
本発明の目的は、かかる問題を解消し、ユーザが自分のジェスチャの結果を表示画面で直接確認することができるとともに、操作のためのジェスチャを気楽な姿勢で行なうことができて、操作の負担を軽減できるようにした映像表示装置を提供することにある。
【課題を解決するための手段】
【０００８】
上記目的を達成するために、本発明は、筐体に表示部が設けられ、表示部の表示画面に商品の紹介画面が表示される映像表示装置であって、表示画面は、手前側に突出し、かつ手前側が低くなるように傾斜して設けられていることを特徴とする。
【０００９】
また、本発明は、表示画面が、プロジェクタによって紹介画面が投射されるスクリーンであり、かつスクリーンに向けられるユーザの手先の向きや位置を検出するセンサが設けられていることを特徴とする。
【００１０】
また、本発明は、紹介画面が、商品のジャンル毎のジャンル画面が配列されて表示される第１階層のメニューと、第１階層のメニューでの各ジャンル毎の商品を表わすサムネイルの商品画像が配列されて表示される第２階層のメニューと、第２階層のメニューでの商品画像の商品を販売する売り場を案内するための地図画像が表示され、センサによるユーザの手先のスクリーンに対する検出位置に応じて第１，第２階層のメニューの表示領域や地図画像の表示領域のいずれかにポインタを表示し、第１階層のメニューでのジャンル画像、第２階層のメニューでの商品画像、地図画像での売り場のいずれかをポインタで指摘することができるように構成したことを特徴とする。
【００１１】
また、本発明は、センサによるユーザの手先の検出位置が予め設定された第１の距離範囲にあるとき、ポインタは第１階層のメニュー上にあり、センサによるユーザの手先の検出位置が予め設定された第２の距離範囲にあるとき、第１階層のメニューが消去され、第２階層のメニューが拡大表示されてポインタが第２階層のメニュー上にあり、センサによるユーザの手先の検出位置が予め設定された第３の距離範囲にあるとき、ポインタは地図画像上にあることを特徴とする。
【００１２】
また、本発明は、第１，第２階層のメニューと地図画像とか表示される紹介画面では、第２階層のメニューでの商品画像は夫々、属する商品のジャンルのジャンル画面に対向して表示され、センサによるユーザの手先の検出位置が第１の距離範囲から第２の距離範囲に移るとき、ポインタの位置は固定であって、検出位置が第１の距離範囲内にあるときに表示されていた第１階層のメニューのジャンル画像に該当する第２階層のメニューの商品画像上に位置固定されたポインタがあるように、第２階層のメニューが表示されることを特徴とするものである。
【００１３】
また、本発明は、センサによるユーザの手先の検出位置が第２の距離範囲内にあって表示される第２階層のメニューでポインタが指摘する商品画像と、当該商品画像の商品を販売する地図画像での売り場とが、結び線で結ばれて表示されることを特徴とする。
【００１４】
また、本発明は、第１階層のメニューでのジャンル画像の配列の端部にポインタを位置付けることにより、第１階層のメニューがスクロールすることを特徴とする。
【００１５】
また、本発明は、第２階層のメニューでの商品画像の配列の端部にポインタを位置付けることにより、第２階層のメニューがスクロールすることを特徴とする。
【発明の効果】
【００１６】
本発明によると、表示面が手前側低くなるように傾斜して設置されているものであるから、手を高い位置まで持ち上げることもなく、気楽な姿勢で操作のためのジェスチャを行なうことができるし、スクリーンに操作の対象としての画像を表わす画面が表示され、かかる画面に対して操作のジェスチャを行なうものであって、このジェスチャに応じたポインタが表示されるものであるから、ユーザとしては、自分のジェスチャの結果を直接操作の対象としての画像を表わす画面でもって確認することができ、気楽な姿勢で容易に所望の操作のためのジェスチャを行なうことができる。
【図面の簡単な説明】
【００１７】
【図１（ａ）】本発明による映像表示装置の一実施形態を示す外観斜視図である。
【図１（ｂ）】図１（ａ）での矢印Ａ側から見た正面図である。
【図１（ｃ）】図１（ａ）での矢印Ｂ側から見た右側面図である。
【図１（ｄ）】図１（ａ）での矢印Ｂとは反対側から見た左側面図である。
【図１（ｅ）】図１（ａ）での上側から見た上面図である。
【図１（ｆ）】図１（ａ）での底面側から見た底面図である。
【図１（ｇ）】図１（ａ）での背面側から見た背面図である。
【図２】図１に示す実施形態での筐体内に設けられた処理部の一具体例を示すシステム構成図である。
【図３】透明スクリーンに表示される初期画面としての広告画面の一具体例を示す図である。
【図４】透明スクリーンに表示される操作ガイダンス画面の一具体例を示す図である。
【図５】図１における透明スクリーンに表示される紹介画面の一具体例を示す図である。
【図６】ユーザが透明スクリーンに規定距離以内に近づいたときの状態を示す図である。
【図７】ユーザが図６での第１の距離領域内で手の先端を第１階層のメニューに近づけた場合の二重リングポインタの状態を示す図である。
【図８（ａ）】ユーザがその手の先を真下の方向に第１の距離領域を通して第２の距離領域へ移動させる場合のユーザの動作の一具体例を示す図である。
【図８（ｂ）】ユーザがその手の先を斜め下方向に第１の距離領域を通して第２の距離領域へ移動する場合のユーザの動作の一具体例を示す図である。
【図８（ｃ）】ユーザがその手の先を水平方向に第１の距離領域を通して第２の距離領域へ移動する場合のユーザの動作の一具体例を示す図である。
【図９】二重リングポインタが図７での第１階層のメニューから第２階層のメニューに移ったときの紹介画面の一具体例を示す図である。
【図１０】図８に示すユーザの手先の移動に伴う二重リングポインタの変化を示す図である。
【図１１】図９に示す位置のユーザの手先が第２距離領域内で他の商品画像に移ったときの紹介画像の一具体例を示す図である。
【図１２】図５に示す紹介画面１７上で二重リングポインタを第２階層のメニューでのジャンル画像の配列方向に移動させるためのユーザの手先の動作を示す図である。
【図１３（ａ）】二重リングポインタがこれまで乗っていたジャンル画像から離れるときのこの二重リングポインタの状態を示す図である。
【図１３（ｂ）】図１３（ａ）に示す状態から次のジャンル画像に達したときのこの二重リングポインタの状態を示す図である。
【図１４】図１３に示す二重リングポインタの状態の変化の一具体例をより詳細に示す図である。
【図１５】図１３に示す二重リングポインタの状態の変化の他の具体例をより詳細に示す図である。
【図１６】図９に示す紹介画面上で二重リングポインタを第２階層のメニューでの商品画像の配列方向に移動させるためのユーザの手先の動作を示す図である。
【図１７】図１６に示す紹介画面で第２階層のメニューのスクロール状態を示す図である。
【図１８】ユーザが手付きを第３の距離領域に差し込んだ状態を示す図である。
【図１９】図１８に示す状態でスクリーンに表示される紹介画像の一具体例を示す図である。
【図２０】画面表示の処理手順を示すフローチャートである。
【発明を実施するための形態】
【００１８】
以下、本発明の実施形態を図面を用いて説明する。
【００１９】
図１は本発明による映像表示装置の一実施形態を示す図であって、同図（ａ）は斜視図、同図（ｂ）は同図（ａ）での矢印Ａ側から見た正面図、同図（ｃ）は同図（ａ）での矢印Ｂ側から見た右側面図、同図（ｄ）は同図（ａ）での矢印Ｂとは反対側から見た左側面図、同図（ｅ）は同図（ａ）での上側から見た上面図、同図（ｆ）は図（ａ）での底面側から見た底面図、同図（ｇ）は図１（ａ）での背面側から見た背面図であり、１は筐体、２はプレート、２ａはプレート上側部、２ｂはプレート下側部、２ｃは折り曲げ部、２ｄ，２ｅは端部、３は拡散スクリーン、４はビデオカメラ、５はプロジェクタである。
【００２０】
同図において、直立して設置された筐体１には、断面形状がＶ字状に折り曲げられた薄い平板状のプレート２が、夫々の先端部分２ｄ，２ｅが筐体１の上下部分に嵌め込まれるようにして、筐体１に固定して取り付けられている。プレート２の折り曲げ部２ａと筐体１の上部側に取り付けられた先端部２ｄとの間のプレート上側部２ａは、筐体１の面から手前側に、即ち、矢印Ａの方向とは逆方向に所定の傾斜角で下るように傾斜しており、また、プレート２の折り曲げ部２ａと筐体１の下部側に取り付けられた先端部２ｅとの間のプレート下側部２ｂは、奥行き側、即ち、矢印Ａの方向に所定の傾斜角で下るように傾斜している。プレート上側部２ａのかかる傾斜角は、例えば、２０°程度のわずかな角度であって、かかる傾斜角と高さは大人のユーザが見下ろして見易く、かつその指先で指し示し易いようにしている。即ち、プレート上側部２ａが筐体１から手前側に突出し、かつ手前側に下るように傾斜した棚状のものとなっている。
【００２１】
プレート上側部２ａの大部分は擦りガラスなどのような拡散スクリーン３をなしており、また、筐体１でのプレート２の先端部２ｄ，２ｅの取付部間に、投写方向をこの拡散スクリーン３への方向とするプロジェクタ５が設けられており、このプロジェクタ５による投写画像がこの拡散スクリーン３に投写される。
【００２２】
また、筐体１でのプレート上側部２ａの取付部の上側に３次元的に撮像する（即ち、奥行き方向にも位置の検出を可能とする）３次元センサとしてのカメラ４が設けられており、プレート上側部２ａの上側空間を撮像している。このカメラ４は、その撮像領域内を常時撮像しており、ユーザがこの拡散スクリーン３から所定の範囲内に近づくと、図示しない処理手段により、このユーザが検出され、また、ユーザがこの拡散スクリーン３上を指や棒状のもので指し示すと、その指先や棒先（以下では、指先として説明する）が検出され、この検出結果に応じてプロジェクタ５から拡散スクリーン３に投写される画像が切り替えられる。
【００２３】
なお、この実施形態では、プロジェクタ５により、拡散スクリーン３に画像を投影することを例に説明するが、これに代えて、例えば、液晶またはプラズマディスプレイを用いることも可能である。
【００２４】
図２は図１に示す映像表示装置の筐体１内に設けられた処理部の一具体例を示すシステム構成図であって、６は入力部、７はシステム制御部、７ａは被写体検出部、７ｂは位置判定処理部、７ｃは操作領域指定部、７ｄは記憶部、８は映像信号処理部、９は表示部である。
【００２５】
同図において、入力部６には、カメラ４（図１）からの撮像信号が入力され、システム制御部７に供給される。このシステム制御部７は被写体検出部７ａと位置判定処理部７ｂと操作領域指定部７ｃと記憶部７ｄとから構成されており、被写体検出部７ａは、供給された撮像信号からこの映像表示装置に近づいたユーザの画像やその指先を検出する。位置判定処理部７ｂは、被写体検出部７ａでユーザの画像やその指先が検出されると、拡散スクリーン３（図１）に対する空間領域内での位置を判定し、その判定結果に基づいて、操作領域指定部７ｃがこのユーザによる拡散スクリーン３に対する操作領域を指定する。この指定結果に応じた画像情報が記憶部７ｄが読み出されて映像信号が作成される。、この映像信号は、映像信号処理部８で処理された後、表示部９に供給される。この表示部９はプロジェクタ５（図１）で拡散スクリーン３にこの映像信号に応じた画像を表示するものである。
【００２６】
次に、拡散スクリーン３に表示される案内画面について説明する。
【００２７】
図３は拡散スクリーン３に表示される初期画面としての広告画面の一具体例を示す図であって、１０は広告画面、１１は商品画像、１２は商品画像列である。
【００２８】
同図において、拡散スクリーン３に人が近づいていないときには、広告画面１０が表示されている。この広告画面１０は夫々が１つの商品を紹介したサムネイル（静止画）や文字情報で表わす商品画像１１が複数（ここでは、５個）横方向に配列した商品画像の列１２が表示される。
【００２９】
この商品画像の列１２は、その配列方向（横方向）にスクロールしており、スクロールとともに、その列の一方の端側にある商品画像１１が拡散スクリーン３の一方の端から出ていくとともに、他方の端から拡散スクリーン３内に現われてくるものであって、これにより、大型店舗内のレストラン，ショップ，施設・サービスなどの全ての売場（店舗）の商品が商品画像１１で表示される。
【００３０】
また、拡散スクリーン３に現在表示されている商品画像１１のうち、中央に表示されている表示画像１１（表示される時点では、商品「Ａ」の商品画像１１）が最も手前側にあるように表示され、その両側の商品画像１１は、端に表示されているほど奥側にあるように表示される。このため、中央に表示される商品「Ａ」の商品画像１１は最も大きく表示され、その両側の商品「Ｚ」，「Ｂ」の商品画像１１は、その一部が商品「Ａ」の商品画像１１に隠れて、かつ商品「Ａ」の商品画像１１よりも小さく表示される。
【００３１】
かかる広告画面１０が表示されている状態で拡散スクリーン３に人が近づき、この拡散スクリーン３から予め決められた第１の距離（例えば、３ｍ）の範囲内に入ると、この拡散スクリーン３では、上記の広告画面１０に代わって操作ガイド画面が表示される。
【００３２】
図４は拡散スクリーン３に表示される操作ガイダンス画面の一具体例を示す図であって、１０ａは操作ガイダンス画面、１１ａは商品画像、１３は手形、１４はガイダンスメッセージ、１５はジャンル選択操作ガイド部、１６は商品選択操作ガイド部であり、図３に対応する部分には同一符号を付けて重複する説明を省略する。
【００３３】
同図において、この操作ガイダンス画面１０ａには、図３に示した広告画面１０での商品画像の列１２が、夫々の商品画像１１が重なることなく、かつ順次スクロールして（矢印はスクロール方向を示す）表示される。この商品画像の列１２に対しては、その中央部の商品画像１１ａが手形１３で指し示された状態で表示され、このため、この中央部１１ａの商品画像１１ａは他の商品画像１１よりも大きく表示される。
【００３４】
また、この操作ガイダンス画面１０ａでは、商品画像の列１２の上側にジャンル選択操作ガイド部１５と商品選択操作ガイド部１６とが表示され、さらに、これらの上側に、例えば、「手を近づけると店舗や施設の案内を表示します」といったようなガイダンスメッセージ１４が表示される。ジャンル選択操作ガイド部１５では、後述のジャンルの選択方法を手先の状態で示しており、商品選択操作ガイド部１６でも、後述する商品の選択方法を手先の状態で示している。
【００３５】
操作ガイダンス画面１０ａのガイダンスメッセージ１４やジャンル選択操作ガイド部１５，商品選択操作ガイド部１６の表示内容を基に、予め決められた第２の距離（例えば、１ｍ）の範囲内にこの拡散スクリーン３に人（以下、ユーザという）が近づくと、この大型店舗で販売されている商品やその売場を紹介する紹介画面が表示される。また、ユーザが自分の手先を拡散スクリーン３に近づけると、商品などを選択するためのポインタが表示される。
【００３６】
図５は図１における拡散スクリーン３に表示される紹介画面の一具体例を示す図であって、１２は第２階層のメニュー（商品画像列）、１７は紹介画面、１８はジャンル画像、１９は第１階層のメニュー（ジャンル画像列）、２０は地図画像、２０ａは階数、２１は売場などの施設の画像、２２は現在位置マーク、２３は二重リングポインタ、２３ａは可変径リング、２３ｂは固定径リングであって、図４に対応する部分には同一符号を付けて重複する説明を省略する。
【００３７】
同図において、紹介画面１７では、拡散スクリーン３にジャンル画像１８の横方向の列であるジャンル列１９と商品画像１１の横方向の配列である商品画像列１２と地図画像２０とが表示される（但し、ユーザが上記の第２の距離範囲内に近づいただけでは、図示する可変径リング２３ａと固定径リング２３ｂとからなる二重リングポインタ２３は表示されていない）。拡散スクリーン３の表面上手前側（ユーザが居る側）にジャンル画像１８の配列であるジャンル画像列１９が表示され、拡散スクリーン３の図面上奥側（ユーザが居る領域とは反対側）に地図画像２０が表示され、ジャンル画像列１９の表示領域と地図画像２０の表示領域との間に商品画像１１の配列である商品画像列１２が表示される。
【００３８】
なお、ジャンル画像列１９は商品画像１１を選択するための上位階層のメニューとなるものであって、これを、以下、第１階層のメニュー１９ともいう。また、商品画像列１２は、ジャンル毎の商品のメニューとなるものであり、後述するように、これらのいずれかが選択指定されると、指定された商品を購入するための地図画像２０内の売場が指定されるので、この商品画像列１２を、以下では、第２階層のメニュー１２ともいう。
【００３９】
ここで、第１階層のメニュー１９のジャンル画像１８は、レストラン，ショップ，施設・サービスといった売場（店舗）の種別（ジャンル）を表わすものであって、この種別を表わすアイコンや文字情報（テキスト）で表現されている。また、第２階層のメニュー１２の商品画像１１は、ジャンル画像１８に対応付けられており、例えば、ジャンル「レストラン」の場合には、カレーライス，パスタ，オムレツといったような、また、ジャンル「ショップ」の場合には、着る物，履物といったような各売場で販売される商品がサムネイル画像や文字情報で表現したものであって、同じジャンルに属するサムネイルの商品画像１２は、ジャンル画像列１９の該当するジャンルのジャンル画像１８に対向して表示されている。例えば、商品画像１１の商品Ｘ〜Ｚ，Ａ〜Ｄは「ジャンル２」に属する商品であり、そのジャンル画像１８に対向して表示されている。さらに、地図画像２０は、商品画像１１で表示される商品の売場２１の位置を示す地図を表わすものであって、デフォルトとしては、この映像表示装置１が設置されている階のフロアの地図画像２０が、この大店舗の建屋での階数２０ａとともに、表示される。また、この地図画像２０がこの映像表示装置１が設置されている階（ここでは、２階として、「２Ｆ」の階数２０ａが表示されている）を表わしているときには、この映像表示装置１の設置位置が、現在位置として、現在位置マーク２２で表示される。
【００４０】
図６はユーザが拡散スクリーン３に上記の第２の距離範囲内に近づいたときの状態を示す図であって、２４はユーザ、２４ａは手の先端（手先）、２５は第１の距離領域、２６は第２の距離領域、２７は第３の距離領域であり、図１に対応する部分には同一符号を付けて重複する説明を省略する。
【００４１】
ユーザ２４が拡散スクリーン３から上記の第１の距離範囲内で上記の第２の距離範囲から離れているときには、図４に示す操作ガイダンス画面１０ａが拡散スクリーン３に表示され、ユーザ２４が拡散スクリーン３からこの第２の距離範囲内に入ると、図５に示す紹介画面１７が表示される。図６はユーザ２４のこのときの状態を示すものである。但し、このようにユーザが拡散スクリーン３に近づいただけでは、図５に示す紹介画面１７には、二重リングポインタ２３は表示されていない。
【００４２】
ここで、拡散スクリーン３上の空間には、拡散スクリーン３でのジャンル画像列（第１階層のメニュー）１９の表示領域に対する空間領域が第１の距離領域２５として設定されており、拡散スクリーン３での商品画像列（第２階層のメニュー）１２の表示領域に対する空間領域が第２の距離領域２６として設定され、拡散スクリーン３での地図画像２０の表示領域に対する空間領域が第３の距離領域２７として設定されている。
【００４３】
第１の距離領域２５内にユーザ２４が手先２４ａを入れると、これをビデオカメラ４（図１）の撮像信号からシステム制御部７（図２）が検出し、その検出結果を基に、図５に示すように、ジャンル画像列（第１階層のメニュー）１９の表示領域に二重リングポインタ２３が表示される。このとき、このシステム制御部７（図２）は、カメラ４（図１）からの撮像信号を基にこの手先２４ａの第１の距離領域２５内での位置と向きとを検出し、拡散スクリーン３でのジャンル画像列（第１階層のメニュー）１９の表示領域内でのこの検出結果に応じた位置にこの二重リングポインタ２３を表示させる。
【００４４】
また、第１の距離領域２５を通過して第２の距離領域２６内にユーザ２４の手先２４ａが入り込むと、これをシステム制御部７（図２）が検出し、図示しないが、商品画像列（第２階層のメニュー）１２の表示領域に二重リングポインタ２３が表示される。このときも、このシステム制御部７は、カメラ４（図１）からの撮像信号を基にこの手先２４ａの第２の距離領域２６内での位置と向きとを検出し、拡散スクリーン３での商品画像列（第２階層のメニュー）１２の該当する商品画像１１の表示領域でのこの検出結果に応じた位置にこの二重リングポインタ２３を表示させる。
【００４５】
さらにまた、第３の距離領域２７内にユーザ２４の手先２４ａが入り込むと、これをシステム制御部７（図２）が検出し、図示しないが、地図画像２０の表示領域に二重リングポインタ２３を表示させる。このときも、このシステム制御部７は、カメラ４（図１）からの撮像信号を基にこの手先２４ａの第３の距離領域２７内での位置と向きとを検出し、拡散スクリーン３での地図画像２０の表示領域でのこの検出結果に応じた位置にこの二重リングポインタ２３を表示させる。
【００４６】
ここで、二重リングポインタ２３では、固定径リング２３ｂは直径が固定のリングであって、その直径は拡散スクリーン３の第１階層のメニュー１９の表示面からの所定の距離に対応して設定されたものであり、可変径リング２３ａはこの所定の距離からの手先２４ａの位置までの距離に応じた直径のリングである。従って、手先２４ａが第１の距離領域２５に入り始めたときには、可変径リング２３ａの直径は大きく、手先２４ａが拡散スクリーン３上の第１階層のメニュー１９の表示領域に近づくにつれてその直径が小さくなっていく。勿論、これとともに、手先２４ａが拡散スクリーン３の面に平行な方向へ位置変化した場合には、二重リングポインタ２３は拡散スクリーン３の面上を位置変化する。
【００４７】
図７はユーザ２４が第１の距離領域２５内で手先２４ａを第１階層のメニュー１９に近づけた場合の二重リングポインタ２３を示すものであって、「ジャンル２」のジャンル画像１８上でその可変径リング２３ａの直径が図５の状態の場合に比べて小さくなっている。
【００４８】
図８（ａ）に示すように、ユーザ２４がその手先２４ａを真上から第１の距離領域２５を通して第２の距離領域２６へ移動させるジェスチャを行なった場合には、拡散スクリーン３では、図７に示す紹介画面１７の表示状態が図９に示す紹介画面１７の表示状態に切り替わる。なお、手先２４ａを第１の距離領域２５を通して第２の距離領域２６へ移動させる方法として、図８（ａ）に示す方法に限らず、図８（ｂ）に示すように、手先２４ａを斜め下方向に第１の距離領域２５を通して第２の距離領域２６へ移動させるようにしてもよいし、図８（ｃ）に示すように、手先２４ａを水平方向に第１の距離領域２５を通して第２の距離領域２６へ移動させるようにしてもよく、第１の距離領域２５を通して第２の距離領域２６へ移動するものであれば、手先２４ａをいずれの方向に移動させるようにしてもよい。
【００４９】
なお、図９において、２１ａは指定商品の売場の画像（以下では、単に指定商品の売場という）、２８は結び線、２９は売場の宣伝広告板の画像（以下では、単に売場の宣伝広告板）であり、前出図面に対応する部分には同一符号を付けて重複する説明を省略する。
【００５０】
同図において、この紹介画面１７では、二重リングポインタ２３が第２階層のメニュー（商品画像列）１２の１つの商品画像１１上に位置している。この商品画像１１は、図７に示す紹介画面１７で第１階層のメニュー（ジャンル画像列）１９のジャンル画像１８（ここでは、「ジャンル２」のジャンル画像１８）上での二重リングポインタ２３が存在する位置に対向する第２階層のメニュー１２での商品画像１１であり、図７に示す紹介画面１７では、第２階層のメニュー１２での二重リングポインタ２３に（より厳密には、この二重リングポインタ２３の固定径リング２３ｂに）対向した位置にある商品画像１１は商品「Ａ」の商品画像１１であるから、図９に示すように、この商品「Ａ」の商品画像１１に二重リングポインタ２３が移ることになる。
【００５１】
このように、二重リングポインタ２３が第１階層のメニュー１９のジャンル画像１８から第２階層のメニュー１２の商品画像１１に移る場合には、図５に示す紹介画面１７において、第１階層のメニュー１９であるジャンル画像列１９が、拡散スクリーン３上において、下方に移動しながら拡散スクリーン３から排出され、第２階層のメニュー１２である商品画像列１２も下方に移動しながら拡大し、第１階層のメニュー１９が表示されていた位置に表示されることになる。この間、二重リングポインタ２３は位置固定されており、このため、第１階層のメニュー１９と第２階層のメニュー１２とが移動して図９に示す紹介画面１７となると、二重リングポインタ２３は、上記のように、図５に示す紹介画面１７での第１階層のメニュー１９での二重リングポインタ２３があった位置に位置するようになった商品画像１１上にあることになり、商品「Ａ」のこの商品画像１１が指定されていることになる。このように二重リングポインタ２３で指定された商品画像１１は、第２階層のメニュー１２での他の商品画像１１よりも大きく拡大されて表示される。
【００５２】
なお、このように、商品画像１１を指定した状態にある二重リングポインタ２３では、可変径リング２３ａは、固定径リング２３ｂよりも小径のリングであり、この固定径リング２３ｂ内に表示される。換言すれば、固定径リング２３ｂが可変径リング２３ａの内側にある二重リングポインタ２３は、ユーザ２４の手先２４ａが第１の距離領域２５（図８）内にあって、第１階層のメニュー（ジャンル画像列）１９のジャンル画像１８を指定するものであり、逆に、可変径リング２３ａが固定径リング２３ｂの内側にある二重リングポインタ２３は、ユーザ２４の手先２４ａが第２の距離領域２６（図８）内にあって、第２階層のメニュー（商品画像列）１２の商品画像１１を指定するものである。可変径リング２３ａが固定径リング２３ｂの内側にあるということは、図８において、ユーザ２４の手先２４ａが第１の距離領域２５と第２の距離領域２６との境界を越えて第２の距離領域２６内には入り込んだことを表わしているものであり、可変径リング２３ａが固定径リング２３ｂと一致して重なったときには、ユーザ２４の手先２４ａが第１の距離領域２５と第２の距離領域２６との境界にあるときである。
【００５３】
図１０（イ）は図８に示すユーザ２４の手先２４ａの移動に伴う二重リングポインタ２３の変化の一具体例を示す図であって、前出図面に対応する部分には同一符号をつけて重複する説明を省略する。
【００５４】
図１０（イ）（ａ）は図５に示す紹介画面１７での二重リングポインタ２３の状態を示すものであって、図８において、ユーザ２４の手先２４ａが第１の距離領域２５に入り始めたときの状態を示している。この場合には、図８において、ユーザ２４の手先２４ａは、第１の距離領域２５内に入っているが、第１の距離領域２５と第２の距離領域２６との境界とは大きい距離離れているので、二重リングポインタ２３では、可変径リング２３ａの径は固定径リング２３ｂの径よりもこの距離に応じた分大きくなっている。
【００５５】
図１０（イ）（ｂ）は図７に示す紹介画面１７での二重リングポインタ２３の状態を示すものであって、図８において、ユーザ２４の手先２４ａが、図１０（イ）（ａ）に示すときの状態よりも、第１の距離領域２５内で第１の距離領域２５と第２の距離領域２６との境界に近づいた状態を示している。このため、この二重リングポインタ２３の可変径リング２３ａの径は、第１の距離領域２５内でユーザ２４の手先２４ａから第１の距離領域２５と第２の距離領域２６との境界までの距離が図１０（イ）（ａ）に示すときの状態よりも小さくなっているので、図１０（イ）（ａ）に示すときよりも小さくなっている。即ち、第１の距離領域２５内でユーザ２４の手先２４ａが第１の距離領域２５と第２の距離領域２６との境界に近づくにつれて、ジャンル画像列（第１階層のメニュー）１９及び商品画像列（第２階層のメニュー）１２が徐々に拡大されるとともに可変径リング２３ａの径は小さくなっていく。但し、ユーザ２４の手先２４ａが第１の距離領域２５内にある限り、可変径リング２３ａの径は固定径リング２３ｂの径よりも大きい。
【００５６】
図１０（イ）（ｃ）は、図８において、ユーザ２４の手先２４ａが第１の距離領域２５内で第１の距離領域２５と第２の距離領域２６との境界に達したときの状態を示すものであって、この場合には、可変径リング２３ａの径と固定径リング２３ｂの径とは等しく、これらリング２３ａ，２３ｂは一致する。
【００５７】
かかる状態からさらにユーザ２４が手先２４ａを第２の距離領域２６の方に移動させると（図８）、先に図７で説明したように、ジャンル画像列（第１階層のメニュー）１９が徐々に拡大しながら拡散スクリーン３の下方に移動し、これとともに、商品画像列（第２階層のメニュー）１２も拡大しながら下方に移動し、二重リングポインタ２３がこの商品画像列（第２階層のメニュー）１２いずれかの商品画像１１上にある状態となる。図１０（イ）（ｄ）はこの状態を示すものであって、このときには、ユーザ２４の手先２４ａが第１の距離領域２５と第２の距離領域２６との境界から第２の距離領域２６内に入り込んで拡散スクリーン３の表面により近づくので、この境界から入り込んだ距離に応じた寸法だけ可変径リング２３ａの径が固定径リング２３ｂの径よりも小さくなり、可変径リング２３ａが固定径リング２３ｂの内側に位置する状態となる。
【００５８】
図１０（ロ）は図８に示すユーザ２４の手先２４ａの移動に伴う二重リングポインタ２３と第１，第２階層のメニュー１９，１２の変化の他の具体例を示す図であって、前出図面に対応する部分には同一符号をつけて重複する説明を省略する。
【００５９】
この具体例は、可変径リング２３ａの径と固定径リング２３ｂの径とが等しく、これらリング２３ａ，２３ｂが一致している（重なっている）ときのみ、第１，第２階層のメニュー１９，１２が拡大，縮小するものである。図８に示す第１の距離領域２５と第２の距離領域２６との境界部分に、階層のメニューを切り替えるための図示しない領域（厚み）があり、この領域を通過している間、二重リングポインタ２３のリング２３ａ，２３ｂが一致し（重なり合い）、かつ第１，第２のメニュー１９，１２が拡大，縮小する。
【００６０】
図１０（ロ）（ａ）は、図８において、ユーザ２４の手先２４ａが第１の距離領域２５に入り始めたときの状態を示しており、図８において、ユーザ２４の手先２４ａは、第１の距離領域２５内に入っているが、第１の距離領域２５と第２の距離領域２６との境界とは大きい距離離れているので、図１０（イ）（ａ）と同様、二重リングポインタ２３では、可変径リング２３ａの径は固定径リング２３ｂの径よりもこの距離に応じた分大きくなっている。しかし、このときには、第２階層のメニュー１２は非アクティブな状態にあり、各商品画像１１は表示されるが、操作することはできない。商品の画像は表示されない。
【００６１】
図１０（ロ）（ｂ）は図１０（イ）（ｂ）に対応する状態を示すものであって、図８において、ユーザ２４の手先２４ａが、図１０（ロ）（ａ）に示すときの状態よりも、第１の距離領域２５内で第１の距離領域２５と第２の距離領域２６との境界に近づいた状態を示している。このため、図１０（イ），（ｂ）の場合と同様、この二重リングポインタ２３の可変径リング２３ａの径は、第１の距離領域２５内でユーザ２４の手先２４ａから第１の距離領域２５と第２の距離領域２６との境界までの距離が図１０（ロ）（ａ）に示すときの状態よりも小さくなっているので、図１０（ロ）（ａ）に示すときよりも小さくなっている。即ち、第１の距離領域２５内でユーザ２４の手先２４ａが第１の距離領域２５と第２の距離領域２６との境界に近づくにつれて、可変径リング２３ａの径は小さくなっていく。但し、ユーザ２４の手先２４ａが第１の距離領域２５内にある限り、可変径リング２３ａの径は固定径リング２３ｂの径よりも大きい。また、第２階層のメニュー１２の各商品画像１１は非アクティブの状態のままである。しかし、図１０（イ）の場合と異なり、ジャンル画像列（第１階層のメニュー）１９及び表品画像列（第２階層のメニュー）１２が拡大されることはなく、図１０（ロ）（ａ）に示すときと同じ大きさで表示されている。
【００６２】
図１０（ロ）（ｃ）は、図８において、ユーザ２４の手先２４ａが第１の距離領域２５内で第１の距離領域２５と第２の距離領域２６との境界に達したときの状態を示すものである。かかる状態では、可変径リング２３ａの径と固定径リング２３ｂの径とは等しく、これらリング２３ａ，２３ｂは一致し、このとき、第２階層メニュー１２とともに、第１階層のメニュー１９も非アクティブ状態となり、どちらの階層のメニューも操作することができない。前述のように、図１０（ロ）に示す具体例では、図８に示す第１の距離領域２５と第２の距離領域２６との境界部分に階層を切り替えるための領域（厚み：境界エリア）がある。手先２４ａがこの境界エリアに入ると、二重リングポインタ２３のリング２３ａ，２３ｂの径が等しくなった状態で固定され、そのまま手先２４ａを第２の距離領域２６に向かって移動させると、第１，第２階層メニュー１９，１２が夫々少しずつ拡大して画面下部に移動する。この状態で上記の境界エリア内を第１の距離領域２５に向かって手先２４ａを移動させると、第１，第２階層メニュー１９，１２は画面上部に向かって移動しながら縮小し、図１０（ロ）（ｂ）に示す大きさに近い状態になる。つまり、図１０（ロ）の場合には、（ｃ）に示す状態のときの第１，第２階層メニュー１９，１２が移動しながら拡大し、（ｂ）に示す状態のときには、第１，第２階層メニュー１９，１２の大きさや位置は変わらない。
【００６３】
ユーザ２４が手先２４ａを第２の距離領域２６の方に移動させると（図８）、図１０（イ）の場合と同様、先に図７で説明したように、ジャンル画像列（第１階層のメニュー）１９が拡散スクリーン３の下方に移動し、これとともに、商品画像列（第２階層のメニュー）１２も各画像情報１１がアクティブ状態となって拡大しながら下方に移動し、二重リングポインタ２３がこの商品画像列（第２階層のメニュー）１２のいずれかの商品画像１１上にある状態となる。図１０（ロ）（ｄ）はこの状態を示すものであって、このときには、ユーザ２４の手先２４ａが第１の距離領域２５と第２の距離領域２６との境界部分の階層を切り替えるための領域（境界エリア）から第２の距離領域２６内に入り込んで拡散スクリーン３の表面により近づくので、この境界から入り込んだ距離に応じた寸法だけ可変径リング２３ａの径が固定径リング２３ｂの径よりも小さくなり、可変径リング２３ａが固定径リング２３ｂの内側に位置する状態となる。
【００６４】
また、図９に示す紹介画面１７では、二重リングポインタ２３が乗っている（指定された）商品画像１１ａは、表示されている他の商品画像１１よりも大きく拡大されて表示されており、この二重リングポインタ２３で指定される商品画像１１ａから地図画像２０での指定された商品画像１１ａの商品が販売されている売場（指定商品の売場）２１ａとの間に結び線２８が張られて表示される。このように、ユーザが希望する商品の商品画像１１ａを選択指定した結果、この指定された商品画像１１ａからかかる結び線２８が表示されることにより、この指定された商品画像１１ａで宣伝されている商品を販売している指定商品の売場２１ａが即座に確認可能となる。そして、これとともに、この指定商品の売場２１ａを宣伝する宣伝広告板の画像２９が表示される。この宣伝広告板の画像２９には、図示しないが、この指定商品の売場２１ａを宣伝する情報が表示されている。
【００６５】
なお、地図画像２０において、指定商品の売場２１ａが、図示するように、地図画像２０の右半分側に存在する場合には、この地図画像２０の左半分側にかかる宣伝広告板の画像２９が表示される。これに対し、図１１は図９とは異なる商品画像１１ｂが指定されて異なる売場２１ｂが指定された紹介画面を示すものであるが、この紹介画面１７では、指定商品の売場２１ｂが地図画像２０の左半分側に存在しており、このような場合には、この指定商品の売場２１ｂの宣伝広告板の画像２９は地図画像２０の右半分側に表示される。このように、指定商品の売場２１ａ，２１ｂの宣伝広告板の画像２９は、地図画像２０内において、この指定商品の売場２１ａ，２１ｂが表示される側とは反対側の領域に表示されるものであり、これにより、指定商品の売場２１ａ，２１ｂの周りの地図が明確に表示されることになり、この指定商品の売場２１ａ，２１ｂの位置を明確に把握することを可能にする。
【００６６】
ところで、図１１に示す紹介画面１７は、図９に示す紹介画面１７で商品画像１１ｂが指定された場合の画面であり、この指定された商品画像１１ｂの商品を販売している売場２１ｂがこの大店舗の１階のフロアにあるものとしている。この場合には、この地図画像２０は１階のフロアの地図を表わすものであって、階数２０ａも「１Ｆ（１階）」と表示される。そして、この指定された商品画像１１ｂと１階のフロアを表わす地図画像２０での指定商品の売場２１ｂとが結び線２８で結ばれることになる。
【００６７】
図１２は図５に示す紹介画面１７上で二重リングポインタ２３を第１階層のメニュー１９でのジャンル画像の配列方向に移動させるためのユーザ２４の手先２４ａの動作を示す図であって、１８ａ〜１８ｃはジャンル画像であり、前出画面に対応する部分には同一符号を付けて重複する説明を省略する。
【００６８】
同図において、いま、ユーザ２４がその手先２４ａを第１の距離領域２５内で正面に向けており、このとき、二重リングポインタ２３が第１階層のメニュー（ジャンル画像列）１９の正面の「ジャンル２」のジャンル画像１８ａ上に位置しているものとする。かかる状態でユーザ２４がその手先２４ａを左側に向けると、二重リングポインタ２３は左方向に移動し、ジャンル画像１８ａの左隣の「ジャンル１」のジャンル画像１８ｂ上に移る。また、二重リングポインタ２３が「ジャンル２」のジャンル画像１８ａ上に位置しているときに、ユーザ２４がその手先２４ａを右側に向けると、二重リングポインタ２３は右方向に移動し、ジャンル画像１８ａの右隣の「ジャンル３」のジャンル画像１８ｃ上に移る。
【００６９】
このように、手先２４ａの向きを変化させるだけで二重リングポインタ２３は第１階層のメニュー（ジャンル画像列）１９でのジャンル画像の配列方向に移動することになり、これにより、二重リングポインタ２３で指定するジャンル画像１８を変化させることができる。
【００７０】
ここでは、手先２４ａが第１の距離領域２５にあり、手先２４ａと拡散スクリーン３との間に距離があり、これらは離れている。このような場合、図１２に示すように、手先２４ａを左右に少し動かすだけで二重リングポインタ２３は大きく左右に移動する。従って、拡散スクリーン３から離れた位置で手先２４ａを少し動かすだけで、第１階層のメニュー（ジャンル画像列）１９でジャンル画像１８を選択することができる。
【００７１】
なお、ここでは、図示しないが、手先２４ａを左側に向けて二重リングポインタ２３を第１階層のメニュー（ジャンル画像列）１９の左端部に位置させると、この第１階層のメニュー（ジャンル画像列）１９が右方向にスクロールし、左側から新たなジャンル画像１８が現われる。逆に、手先２４ａを右側に向けて二重リングポインタ２３を第１階層のメニュー（ジャンル画像列）１９の右端部に位置させると、この第１階層のメニュー（ジャンル画像列）１９が左方向にスクロールし、右側から新たなジャンル画像１８が現われる。このように、手先２４ａの向きを替えるだけで、ジャンル画像１８をスクロールさせてこれまで表示されていなかったジャンル画像１８を表示させることができ、第１階層のメニュー（ジャンル画像列）１９の全てのジャンル画像１８を表示させることができる。また、第１階層のメニュー（ジャンル画像列）１９のかかるスクロールとともに、第２階層のメニュー（商品画像列）１２も同じ方向に同じ速度でスクロールし、これにより、かかるスクロールが行なわれても、ジャンル画像１８とこれに該当するジャンルの商品画像１１が対向して位置付けられている。
【００７２】
図１３（ａ），（ｂ）は図１２に示す紹介画面１７で移動する二重リングポインタ２３の一方のジャンル画像から他方のジャンル画像に移るときの状態を示す図であって、前出図面に対応する部分には同一符号をつけて重複する説明を省略する。
【００７３】
図１３（ａ）は二重リングポインタ２３がこれまで乗っていたジャンル画像１８ａから離れるときのこの二重リングポインタ２３の状態を示すものである。ジャンル画像列（第１階層のメニュー）１９が表示される表示領域はジャンル毎に区分されており、夫々の区分が夫々のジャンルが割り当てられたジャンルの仮想領域をなしている。これらジャンルの仮想領域では、該当するジャンルのジャンル画像１８が表示されている。また、商品画像列（第２階層のメニュー）１２が表示される表示領域も、ジャンル画像列（第１階層のメニュー）１９でのジャンルの仮想領域に対向してジャンルの仮想領域が設定されている。この商品画像列（第２階層のメニュー）１２でのジャンルの仮想領域では、ジャンル画像列（第１階層のメニュー）１９でのジャンルの仮想領域でのジャンルに属する商品が割り当てられるものであり、これら商品の商品画像１１が表示される。
【００７４】
図１３（ａ）において、二重リングポインタ２３は、ジャンル画像１８ａに対する仮想領域（「ジャンル画像１８ａの仮想領域」という。以下同様。なお、ここでは、ジャンル画像１８ａとその左隣のジャンル画像１８ｂとの中間点とジャンル画像１８ａとその右隣のジャンル画像１８ｃとの中間点との間の領域。夫々のジャンル画像１８について同様である）の中心位置にあるときには、可変径リング２３ａと固定径リング２３ｂとが互いに同心状に配置された状態にあるが、この中心位置からずれると、可変径リング２３ａがこのジャンル画像１８ａの仮想領域全体を表わし、固定径リング２３ｂは可変径リング２３ａとの関係でこの仮想領域中の手先２ａの相対位置を示す。図示するように、この固定径リング２３ｂが可変径リング２３ａに内接している状態は、手先２４ａの左右方向の位置がジャンル画像１８ａの仮想領域の左端の境界（即ち、ジャンル画像１８ａとその左側のジャンル画像１８ｂとの間の中間点）にあることを示している。
【００７５】
そして、手先２４ａの左右方向の位置がさらに左方向に移動して次のジャンル画像１８ｂの仮想領域に達すると、図１３（ｂ）に示すように、固定径リング２３ｂがジャンル画像１８ｂの仮想領域を示す可変径リング２３ａの右端に近い位置に表示される。
【００７６】
このことは、二重リングポインタ２３をジャンル画像１８ａから右側に移動させる場合も同様である。
【００７７】
図１４は図１３に示す二重リングポインタ２３の状態の変化の一具体例をより詳細に示す図であって、３０はジャンル画像１８の中心座標位置、３１は仮想ジャンル画像間境界線、３２は可変径リング２３ａの中心点、３３は固定径リング２３ｂの中心点であり、前出図面に対応する部分には同一符号を付けて重複する説明を省略する。
【００７８】
ここでは、固定径リング２３ｂが手先２４ａの位置（Ｘ座標）を表わし、可変径リング２３ａはジャンル画像１８の仮想領域の境界で固定径リング２３ｂに対する位置関係を急変するものであり、このことから、可変径リング２３ａはかかる仮想領域の境界を示すものである。
【００７９】
即ち、手先２４ａの位置がジャンル画像１８ａの仮想領域の中心座標位置３０であるときには、この二重リングポインタ２３の固定径リング２３ｂと可変径リング２３ａは、中心座標位置３０を中心とする互いに同心状の位置関係にある。かかる状態で、ユーザ２４が手の向きを一方の方向（ここでは、左方向とする）に変えて手先２４ａを左方向に向きを替えていくと、この二重リングポインタ２３は左方向に移動する。図１４（ｂ）はかかる状態を示すものであり、固定径リング２３ｂの中心点３３が手先２４ａの位置を表わし、可変径リング２３ａは、手先２４ａの移動とともにその移動方向（左方向）に移動するが、その移動とともに固定径リング２３ｂとの相対的な位置関係が変化し、これにより、手先２４ａがジャンル画像１８ａの仮想領域内を指示していることを示している。
【００８０】
このときのジャンル画像１８ａの中心座標位置３０からこの固定径リング２３ｂの中心点３３（即ち、手先２４ａの位置）までの距離をＸ１、この固定径リング２３ｂの中心点３３から可変径リング２３ａの中心点３２までの距離をＸ２とすると、ジャンル画像１８ａの仮想領域の幅（ジャンル画像１８の配列間隔）をＷ１、二重リングポインタ２３での可変径リング２３ａの直径をＷ２、固定径リング２３ｂの直径をＷ３として、距離Ｘ２が、
Ｗ１：（Ｗ２−Ｗ３）＝Ｘ１：Ｘ２          ……（１）
を満たすように、手先２４ａの位置（固定径リング２３ｂの中心点３３の位置）に対する可変径リング２３ａの位置（可変径リング２３ａの中心点３２の位置）が設定される。言い替えると、手先２４ａの移動による固定径リング２３ｂのジャンル画像１８ａの中心座標位置３０からの距離Ｘ１に対し、可変径リング２３ａの固定径リング２３ｂの中心点３３からの距離Ｘ２が上記式の関係を満たすように、可変径リング２３ａが移動することになる。なお、手先２４ａがジャンル画像１８ａの中心座標位置３０上にあるときには、Ｘ１＝Ｘ２＝０である。
【００８１】
そして、手先２４ａの位置がジャンル画像１８ａの仮想領域の境界線、即ち、仮想ジャンル画像間境界線３１に達すると、Ｘ１＝Ｗ１／２であるから、上記式（１）により、Ｘ２＝（Ｗ２−Ｗ３）／２であって、この可変径リング２３ａは、仮想ジャンル画像間境界線３１から左隣のジャンル画像１８ｂの仮想領域内に、
（Ｗ２／２）−Ｘ２＝（Ｗ２／２）−（Ｗ２−Ｗ３）／２＝Ｗ３／２
だけ突出することになる。そして、この場合、固定径リング２３ｂの中心点３３がジャンル画像１８ａ，１８ｂの仮想領域の仮想ジャンル画像間境界線３１上にあるから、この固定径リング２３ｂも、その半径であるＷ３／２だけ仮想ジャンル画像間境界線３１から左隣のジャンル画像１８ｂの仮想領域内に突出していることになる。このことからして、図１４（ｃ）に示すように、中心点３３がこの仮想ジャンル画像間境界線３１上にある固定径リング２３ｂが可変径リング２３ａに内接した状態にある。
【００８２】
さらに、手先２４ａの位置が仮想ジャンル画像間境界線３１を越えてジャンル画像１８ｂの仮想領域内に入ると、可変径リング２３ａが瞬間的に左方向に移動し、図１４（ｄ）に示すように、中心点３３が仮想ジャンル画像間境界線３１の左側となった固定径リング２３ｂが可変径リング２３ａの右端に近い位置に表示される状態となる。このように、仮想ジャンル画像間境界線３１で可変径リング２３ａの位置が手先２４ａの移動方向と同じ方向に急変することにより、ジャンル画像１８ａの仮想領域から隣のジャンル画像１８ｂの仮想領域１８ｂに手先２４ａの位置が移ったことを示すことになる。
【００８３】
図１４（ｄ）に示す状態からさらに手先２４ａが左方向に移動すると、固定径リング２３ｂはその方向に移動するが、この場合には、ジャンル画像１８ｂの仮想領域の中心座標位置から固定径リング２３ｂの中心点３３までの距離をＸ１として、この固定径リング２３ｂの中心点３３から可変径リング２３ａの中心点３２までの距離Ｘ２が上記式（１）を満たすように、可変径リング２３ａが移動することになる。そして、固定径リング２３ｂの中心点３３がジャンル画像１８ｂの中心座標位置に一致した状態となると、可変径リング２３ａの中心点３２もこの中心座標位置に一致し、可変径リング２３ａと固定径リング２３ｂとが同心状の位置関係となる。
【００８４】
なお、図１４（ａ）に示す状態から二重リングポインタ２３が右側に移動する場合も、上記と同様である。
【００８５】
図１５は図１３に示す二重リングポインタ２３の状態の変化の他の具体例をより詳細に示す図であって、図１４に対応する部分には同一符号を付けて重複する説明を省略する。
【００８６】
ここでは、可変径リング２３ａが手先２４ａの位置（Ｘ座標）を表わし、固定径リング２３ｂが、図４での可変径リング２３ａのように、ジャンル画像１８の仮想領域の境界を示すものである。
【００８７】
即ち、手先２４ａの位置がジャンル画像１８ａの仮想領域の中心座標位置３０上にあるときには、図１５（ａ）に示すように、この二重リングポインタ２３の固定径リング２３ｂと可変径リング２３ａは、この中心座標位置３０を中心とする互いに同心状の位置関係にあり、この点は図１４の場合と同様である。
【００８８】
かかる状態で、ユーザ２４が手の向きを一方の方向（ここでは、左方向とする）に変えて手先２４ａを左方向に向きを替えていくと、この二重リングポインタ２３は左方向に移動する。図１４（ｂ）はかかる状態を示すものであり、可変径リング２３ａの中心点３２が手先２４ａの位置を表わし、固定系リング２３ｂは手先２４ａの位置がジャンル画像１８ａの仮想領域上にあることを示している。つまり、図１５（ａ）の場合に比べて、手先２４ａの位置がジャンル画像１８ａの仮想領域内で移動していることが示されている。
【００８９】
このときのジャンル画像１８ａの中心座標位置３０からこの可変径リング２３ａの中心点３２（即ち、手先２４ａの位置）までの距離をＸ１、この可変径リング２３ａの中心点３２から固定径リング２３ｂの中心点３３までの距離をＸ２とすると、ジャンル画像１８ａの仮想領域の幅（ジャンル画像１８の配列間隔）をＷ１、二重リングポインタ２３での可変径リング２３ａの直径をＷ２、固定径リング２３ｂの直径をＷ３として、距離Ｘ２が、上記式（１）、即ち、
Ｗ１：（Ｗ２−Ｗ３）＝Ｘ１：Ｘ２          ……（１）
を満たすように、手先２４ａの位置（可変径リング２３ａの中心点３２の位置）に対する固定径リング２３ｂの位置（固定径リング２３ｂの中心点３３の位置）が設定される。言い替えると、手先２４ａの移動による可変径リング２３ａのジャンル画像１８ａの中心座標位置３０からの距離Ｘ１に対し、固定径リング２３ｂの可変径リング２３ａの中心点３２からの距離Ｘ２が上記式（１）の関係を満たすように、固定径リング２３ｂが移動することになる。なお、手先２４ａがジャンル画像１８ａの中心座標位置３０上にあるときには、可変径リング２３ａの中心点３２と固定径リング２３ｂの中心点３３とがこのジャンル画像１８ａの中心座標位置３０上にあることになるから、Ｘ１＝Ｘ２＝０である。
【００９０】
そして、手先２４ａの位置がジャンル画像１８ａの仮想領域の境界線、即ち、仮想ジャンル画像間境界線３１に達すると、Ｘ１＝Ｗ１／２であるから、仮想ジャンル画像間境界線３１から固定径リング２３ｂの中心点３３までの距離は、上記式（１）により、Ｘ２＝（Ｗ２−Ｗ３）／２である。固定径リング２３ｂの半径はＷ３／２であるから、Ｘ２＋Ｗ３／２＝Ｗ２／２であり、このことからして、図１５（ｃ）に示すように、中心点３２がこの仮想ジャンル画像間境界線３１上にある可変径リング２３ａに固定径リング２３ｂが内接した状態にあることになる。
【００９１】
さらに、手先２４ａの位置が仮想ジャンル画像間境界線３１を越えてジャンル画像１８ｂの仮想領域内に入ると、固定径リング２３ｂが瞬間的に左方向に移動し、図１５（ｄ）に示すように、中心点３２が仮想ジャンル画像間境界線３１の左側となった可変径リング２３ａの左端に近い位置に固定径リング２３ｂが表示される状態となる。このように、仮想ジャンル画像間境界線３１で固定径リング２３ｂの位置が手先２４ａの移動方向と同じ方向に急変することにより、ジャンル画像１８ａの仮想領域から隣のジャンル画像１８ｂの仮想領域１８ｂに手先２４ａの位置が移ったことを示すことになり、ユーザ２４はこれを確認することができる。
【００９２】
図１５（ｄ）に示す状態からさらに手先２４ａが左方向に移動すると、可変径リング２３ａはその方向に移動するが、この場合には、ジャンル画像１８ｂの仮想領域の中心座標位置から可変径リング２３ａの中心点３２までの距離をＸ１として、この可変径リング２３ａの中心点３２から固定径リング２３ｂの中心点３３までの距離Ｘ２が上記式（１）を満たすように、固定径リング２３ｂが移動することになる。そして、可変径リング２３ａの中心点３２がジャンル画像１８ｂの中心座標位置に一致した状態となると、固定径リング２３ｂの中心点３３もこの中心座標位置に一致し、可変径リング２３ａと固定径リング２３ｂとが同心状の位置関係となる。
【００９３】
なお、図１５（ａ）に示す状態から二重リングポインタ２３が右側に移動する場合も、上記と同様である。
【００９４】
図１６は図９に示す紹介画面１７ａ上で二重リングポインタ２３を第２階層のメニュー１２での商品画像１１の配列方向に移動させるためのユーザ２４の手先２４ａの動作を示す図であって、１１ａは商品画像であり、前出画面に対応する部分には同一符号を付けて重複する説明を省略する。
【００９５】
同図において、いま、ユーザ２４がその手先２４ａを第２の距離領域２６内で正面に向けており、このとき、二重リングポインタ２３が第２階層のメニュー（商品画像列）１２の正面の商品「Ａ」の商品画像１１ａ上に位置しているものとする。かかる状態でユーザ２４がその手先２４ａを左側に向けると、二重リングポインタ２３は左方向に移動し、商品画像１１ａの左隣の商品「Ｚ」の商品画像１１上に移る。また、二重リングポインタ２３が商品「Ａ」の商品画像１１ａ上に位置しているときに、ユーザ２４がその手先２４ａを右側に向けると、二重リングポインタ２３は右方向に移動し、商品画像１１ａの右隣の商品「Ｂ」の商品画像１１上に移る。
【００９６】
このように、手先２４ａの向きを変化させるだけで二重リングポインタ２３は第２階層のメニュー（商品画像列）１２での商品画像１１の配列方向に移動することになり、これにより、二重リングポインタ２３で指定する商品画像１２を変更させることができる。
【００９７】
ここでは、手先２４ａが第２の距離領域２６内にあり、手先２４ａと拡散スクリーン３との間には距離がなく、近接した近い状態にある。このような場合、図１６に示すように、手先２４ａの移動距離と二重リングポインタ２３との移動距離はほぼ同等となる。従って、拡散スクリーン３から近い距離では、手先２４ａを二重リングポインタ２３の移動と同様に移動させることにより、第２階層のメニュー（商品画像配列）１２を選択することができる。拡散スクリーン３に近い領域では、手先２４ａと第２階層のメニュー（商品画像列）１２との距離が接近しているため、手先２４ａに追随するように二重リングポインタ２３が移動することにより、所望の商品画像１１を選択し易いものとなる。
【００９８】
なお、ここでは、図示しないが、手先２４ａを左側に向けて二重リングポインタ２３を第２階層のメニュー（商品画像列）１２の左端部に位置させ、所定時間かかる状態を保持すると、図１７に示すように、この二重リングポインタ２３がスクロールボタン２３Ｓとなり、これが操作されている状態となって、この第２階層のメニュー（商品画像列）１２が右方向にスクロールし、左側から新たな商品画像１２が現われる。逆に、手先２４ａを右側に向けて二重リングポインタ２３を第２階層のメニュー（商品画像列）１２の右端部に所定時間位置させると、この第２階層のメニュー（商品画像列）１２が左方向にスクロールし、右側から新たな商品画像１２が現われる。このように、手先２４ａの向きを替えるだけで、商品画像１２をスクロールさせてこれまで表示されていなかった商品画像１２を表示させることができ、第２階層のメニュー（商品画像列）１２の全ての商品画像１２を表示させることができる。
【００９９】
また、第２階層のメニュー（商品画像列）１２の表示領域においても、図１４の説明で述べたように、ジャンル毎に仮想領域が設定されており、同じ仮想領域内の商品画像１１の商品は同じジャンルに属するものであるが、同じジャンルの仮想領域内での二重リングポインタ２３の移動とともに、図１４，図１５で説明したのと同様に、その可変径リング２３ａと固定径リング２３ｂとの位置関係が変化し、１つのジャンルの仮想領域から隣のジャンルの仮想領域に二重リングポインタ２３が移るときには、かかる二重リングポインタ２３での可変径リング２３ａと固定径リング２３ｂとの位置関係が急変するものであり、これにより、第２階層のメニュー（商品画像列）１２において、二重リングポインタ２３の位置がジャンルが隣の異なる仮想領域に移ったことが確認できることになる。
【０１００】
図１８はユーザ２４が手付き２４ａを第３の距離領域２７に差し込んだ状態を示すものであって、図１９はこのような状態にしたときの拡散スクリーン３に表示される紹介画面１７の一具体例を示す図である。但し、同図では、２８ａは結び線であり、前出図面に対応する部分に同一符号を付けて重複する説明を省略する。
【０１０１】
図１９において、ユーザ２４の手先２４ａが第３の距離領域２７内にある時には、紹介画面１７の地図画像２０内のこの手先２４ａの第３の距離領域２７内での位置，向きに応じた位置に二重リングポインタ２３が表示され、その位置の売り場２１ｂが指示される。そして、これとともに、第２階層のメニュー１２でのこの売り場２１ｂで販売されている商品の商品画像１１とこの売り場２１ｂとが結び線２８ｂによって結ばれて表示される。
【０１０２】
このように、地図画像２０での売り場を手先２４ａの位置，向きでもって指摘できるとともに、この指摘された商品を、結び線２８ａにより、第２階層のメニュー１２の商品画像１１で示されることになる。
【０１０３】
図２０は以上の画面表示の処理手順を示すフローチャートである。
【０１０４】
同図において、ビデオカメラ４（図１）が拡散スクリーン３に対してユーザ２４が所定の第１の距離（例えば、３ｍ）以内に居ないときには（ステップＳ１０１の“Ｎｏ”）、拡散スクリーン３には、図３に示す広告画面１０が表示されている（ステップＳ１００）。ユーザ２４が拡散スクリーン３からこの第１の距離内に入ったことが検出されると（ステップＳ１０１の“Ｙｅｓ”）、拡散スクリーン３には、図４に示す操作ガイダンス画面１０ａが表示される。これにより、この拡散スクリーン３での画面の利用方法が紹介される。
【０１０５】
次いで、ユーザ２４が拡散スクリーン３の方向に進み、拡散スクリーン３から第２の距離（例えば、１ｍ）以内に達したことが検出されると（ステップＳ１０３の“Ｙｅｓ”）、図５に示す紹介画面１７が表示され、このとき、二重リングポインタ２３は表示されないが、ユーザ２４が手をだしてその手先２４ａが第１の距離領域２５内に入ると、図５に示す紹介画面１７での第１階層のメニュー１９上に二重リングポインタ２３が表示される（ステップＳ１０４）。そして、その手付き２４ａがこの第１階層のメニュー１９での１つのジャンル画像１８を指示すると（ステップＳ１０５の“Ｙｅｓ”）、第１階層のメニュー１９が消えて第２階層のメニュー１２が拡大された図９に示す紹介画面１７ａが表示されることになり、二重リングポインタ２３がこの第２階層メニュー１９上の１つの商品画像１１上にある状態となる（ステップＳ１０６）。
【０１０６】
かかる状態で、この二重リングポインタ２３で第２階層のメニュー１２の１つの商品画像１１を指示すると（ステップＳ１０７の“Ｙｅｓ”）、この商品画像１１とこの商品画像１１の商品を販売する地図画像２０での売り場２１ａとを結び線２８で結ぶ図９に示す紹介画像１７ａが表示される（ステップＳ１０８）。
【０１０７】
そして、二重リングポインタ２３を第２階層のメニュー１２の端部に所定時間位置付けていると（ステップＳ１０９の“Ｙｅｓ”）、図１７で説明したように、第２階層のメニュー１２がスクロールする（ステップＳ１１０）。
【０１０８】
以上のように、この実施形態では、手先の位置や向きに応じてスクリーンに表示される夫々のメニュー１９，１２での画像の選択や地図画像２０での売り場２１の検索をすることができる。
【符号の説明】
【０１０９】
１  筐体
２  プレート
２ａ  プレート上側部
２ｂ  プレート下側部
２ｃ  折り曲げ部
２ｄ，２ｅ  端部
３  拡散スクリーン
４  ビデオカメラ（３次元センサ）
５  プロジェクタ
６  入力部
７  システム制御部
７ａ  被写体検出部
７ｂ  位置判定処理部
７ｃ  操作領域指定部
７ｄ  記憶部
８  映像信号処理部
９  表示部
１０  広告画面
１０ａ  操作ガイダンス画面
１１  商品画像
１１ａ  商品画像
１２  商品画像列（第２階層のメニュー）
１１ａ  商品画像
１３  手形
１４  ガイダンスメッセージ
１５  ジャンル選択操作ガイド部
１６  商品選択操作ガイド部
１７  紹介画面
１８，１８ａ〜１８ｃ  ジャンル画像
１９  ジャンル画像列（第１階層のメニュー）
２０  地図画像
２０ａ  階数
２１  売場
２１ａ，２１ｂ  指定商品の売場の画像
２２  現在位置マーク
２３  二重リングポインタ
２３ａ  可変径リング
２３ｂ  固定径リング
２４  ユーザ
２４ａ  手の先端
２５  第１の距離領域
２６  第２の距離領域
２７  第３の距離領域
２８，２８ａ  結び線
２９  宣伝広告板の画像
３０  ジャンル画像の中心座標位置
３１  仮想ジャンル画像間境界線
３２  可変径リング２３ａの中心点
３３  固定径リング２３ｂの中心点
【図１（ａ）】
2012215963.tif 000003
【図１（ｂ）】
2012215963.tif 000004
【図１（ｃ）】
2012215963.tif 000005
【図１（ｄ）】
2012215963.tif 000006
【図１（ｅ）】
2012215963.tif 000007
【図１（ｆ）】
2012215963.tif 000008
【図１（ｇ）】
2012215963.tif 000009
【図２】
2012215963.tif 000010
【図３】
2012215963.tif 000011
【図４】
2012215963.tif 000012
【図５】
2012215963.tif 000013
【図６】
2012215963.tif 000014
【図７】
2012215963.tif 000015
【図８（ａ）】
2012215963.tif 000016
【図８（ｂ）】
2012215963.tif 000017
【図８（ｃ）】
2012215963.tif 000018
【図９】
2012215963.tif 000019
【図１０】
2012215963.tif 000020
【図１１】
2012215963.tif 000021
【図１２】
2012215963.tif 000022
【図１３（ａ）】
2012215963.tif 000023
【図１３（ｂ）】
2012215963.tif 000024
【図１４】
2012215963.tif 000025
【図１５】
2012215963.tif 000026
【図１６】
2012215963.tif 000027
【図１７】
2012215963.tif 000028
【図１８】
2012215963.tif 000029
【図１９】
2012215963.tif 000030
【図２０】
2012215963.tif 000031